(57)【要約】【課題】コストアップを招くことのない簡単な構造によって多彩で斬新な表示が可能となる表示装置を提供する。【解決手段】ノーマリーホワイトタイプの液晶表示パネル１の表示の観察側とは反対側の背面側に導光板２１の一端面に冷陰極管２２を対向配置してなるバックライトユニット２が配置され、その背面側に回転スロットユニット３が配置されている。回転スロットユニット３は、３個の四角柱のスロットドラム３１ａ、３１ｂ、３１ｃを共通の軸３１ｄにより枢支してなる回転スロット３１と照明ライト３２とからなり、照明ライト３２により各スロットドラム３１ａ、３１ｂ、３１ｃの４周面にそれぞれ設置された立体図形Ｏ1 〜Ｏ4 のうちの導光板２１に対面する位置に在る立体図形Ｏ1 がライトアップされ、これが、透過状態の液晶表示パネル１０を透して遊技者Ｐにより視認される。【選択図】      図１
2005338426.tif 000002
【特許請求の範囲】
【請求項１】
画像を表示するための画素が複数配列された有効表示エリアの少なくとも一部の領域に入力画像信号に応じて画像を表示する画像表示状態と、前記有効表示エリアの少なくとも一部の領域を透過状態にする透過表示状態と、前記有効表示エリア内に前記透過表示状態のエリアと前記画像表示状態のエリアとが混在する複合表示状態とのうち、少なくとも２つの表示状態を自在に選択可能な画像表示パネルと、
前記画像表示パネルの表示の観察側とは反対側の背面側に配置された観察物と、
前記画像表示パネルの少なくとも透過表示状態と複合表示状態において前記観察物に照明光を照射し、観察側から前記有効表示エリアの透過表示領域を通して背面側の前記観察物を透視可能にする照明ライトとを有する表示装置。
【請求項２】
前記画像表示パネルは、一対の透明基板間に液晶を封入してなる液晶表示パネルと、該液晶表示パネルの背面側に配置された導光板と、該導光板の端面に対向配置された光源とからなることを特徴とする請求項１に記載の表示装置。
【請求項３】
前記画像表示パネルは、エレクトロルミネッセンスパネルであることを特徴とする請求項１に記載の表示装置。
【請求項４】
前記観察物は、立体物であることを特徴とする請求項１乃至請求項３のうちの何れかに記載の表示装置。
【請求項５】
前記観察物は、複数個設置され、個々の観察物が前記画像表示パネルを透して視認される位置へ所定の順序で交互に繰り返し移動可能に設けられていることを特徴とする請求項１乃至請求項４のうちの何れかに記載の表示装置。
【発明の詳細な説明】
【技術分野】
【０００１】
本発明は、入力画像信号に応じた画像とその後背部に配置した観察物とを複合表示が可能な表示装置に関する。
【背景技術】
【０００２】
従来、パチンコ機やスロットマシン等の遊技機においては、遊技者が向き合う盤面に液晶表示パネル等の表示装置が配設されており、この表示装置により盤上の局面に応じて「大当り」等の入賞情報が表示される。（例えば特許文献１参照）
【０００３】
上述したような遊技機に用いられる表示装置に対しては、遊技者の興趣を盛り上げるために、より多彩で且つ斬新な表示が求められる。
【０００４】
多彩で斬新な表示の実現は、表示装置の構成を高精細化し、それを駆動制御する回路や組み込むプログラムを精密化することにより可能であるが、何れもコストが嵩み、遊技機が大幅にコストアップする。
【特許文献１】特開２００２−５８８２８号公報
【発明の開示】
【発明が解決しようとする課題】
【０００５】
本発明の課題は、大幅なコストアップを招くことのない簡単な構造によって多彩で斬新な表示が可能となる表示装置を提供することである。
【課題を解決するための手段】
【０００６】
本発明の表示装置は、画像を表示するための画素が複数配列された有効表示エリアの少なくとも一部の領域に入力画像信号に応じて画像を表示する画像表示状態と、前記有効表示エリアの少なくとも一部の領域を透過状態にする透過表示状態と、前記有効表示エリア内に前記透過表示状態のエリアと前記画像表示状態のエリアとが混在する複合表示状態とのうち、少なくとも２つの表示状態を自在に選択可能な画像表示パネルと、前記画像表示パネルの表示の観察側とは反対側の背面側に配置された観察物と、前記画像表示パネルの少なくとも透過表示状態と複合表示状態において前記観察物に照明光を照射し、観察側から前記有効表示エリアの透過表示領域を通して背面側の前記観察物を透視可能にする照明ライトとを有することを特徴とするものである。
【発明の効果】
【０００７】
本発明の表示装置によれば、画像表示パネルを透してその背面に設置されている観察物を視認できるから、観察物と画像表示パネルの画像からなる多彩で斬新な複合画像を簡単な構造で容易に得ることができる。
【発明を実施するための最良の形態】
【０００８】
本発明の表示装置においては、画像表示パネルを、一対の透明基板間に液晶を封入してなる液晶表示パネルと、この液晶表示パネルの背面側に配置された導光板と、この導光板の端面に対向配置された光源とで構成することが好ましく、これにより、大幅なコストアップを招くことなく画像表示パネルのフルカラー化及び小型薄型化を促進することができる。
【０００９】
また、本発明の表示装置においては、画像表示パネルとしてエレクトロルミネッセンスパネルを用いることが好ましく、これにより、観察物を背景とした視角依存性のない鮮やかな複合カラー表示が得られる
【００１０】
更に、本発明の表示装置においては、観察物として立体図形を設置することが好ましく、これにより、立体図形を背景とした斬新な複合画像を得ることができる。
【００１１】
加えて、本発明の表示装置においては、観察物を複数個設置され、個々の観察物が画像表示パネルを透して視認される位置へ所定の順序で交互に繰り返し移動可能に設けられていることが好ましく、これにより、スロットマシーン等に好適な面白味に富んだ複合画像が得られる。
【００１２】
以下、本発明の好適な実施形態について説明する。
図１は本発明の一実施形態としての模擬スロットマシーンに搭載される表示装置の構成を示す模式的説明図である。
【００１３】
図１に示されるように、本実施形態の模擬スロットマシーン用表示装置は、大略、液晶表示パネル１とバックライトユニット２及び観察物としての回転スロットユニット３とからなる。
【００１４】
液晶表示パネル１は、電極（不図示）が形成された一対のガラス基板１１、１２を、それぞれの電極形成面を対向させ枠状シール材（不図示）を介して接合し、枠状シール材で囲まれたガラス基板１１、１２の対向面（以下、内面という）間に液晶（不図示）を封入して、構成されている。そして、ガラス基板１１、１２の各外面には、一対の偏光板１３、１４がそれぞれ貼着されている。本実施形態の液晶表示パネル１はノーマリーホワイト方式のＴＮ型液晶表示パネルであり、各偏光板１３、１４が各透過軸を直交させて配置され、液晶に電界が印加されていないとき（オフ状態時）には液晶表示パネル１内を光が略そのまま、つまり実質的に液晶による複屈折作用を受けることなく透過し、観察側からその背面側を透視可能な透過状態となる。
【００１５】
ガラス基板１１、１２のうちの一方のガラス基板１２には、一端部を他方のガラス基板１１の対応する端面よりも外側へ延出させ、延出部１２ａが形成されている。この延出部１２ａの表面（電極形成面の延長面）には、両基板１１、１２の各電極に接続されている引回し配線の各接続端子（不図示）が並設されている。本例の液晶表示パネル１は、両基板１１、１２に設けた各電極に対応する各接続端子を一方のガラス基板１２の延出部１２ａにまとめて並設した片側基板端子型液晶表示パネルである。
【００１６】
上述の接続端子列が形成された延出部１２ａには、フレキシブル配線基板１５を介して駆動制御回路基板１６が配線接続されている。この駆動制御回路基板１６から画像信号がフレキシブル配線基板１５を介して液晶表示パネル１に入力される。
【００１７】
液晶表示パネル１の遊技者Ｐによる観察側とは反対側の背面側には、バックライトユニット２が配設されている。本実施形態のバックライトユニット２は、アクリル樹脂等の透明度の高い樹脂材料からなる導光板２１と、その一端面に光源としての冷陰極管２２を対向配置してなり、前記冷陰極管からの光を導いて前記液晶表示パネルに照明光として照射すると共に、このバックライトユニット２の後方からに入射する光のほとんどすべてを透過させるサイドライト型バックライトユニットである。冷陰極管２２には、リフレクタ２３が被装されている。
【００１８】
導光板２１の液晶表示パネル１に対向させる前面２１ａとは反対側の後面２１ｂには、複数の溝２１ｃが冷陰極管２２の延在方向に沿って平行に形成されている。これら溝２１ｃの配設ピッチｐと深さｄ及び導光板２１と液晶表示パネル１との間隙ｃは、液晶表示パネル１に向けて出射した光が干渉縞を生じない寸法に設定されている。
【００１９】
バックライトユニット２の背面側には、回転スロットユニット３が配設されている。回転スロットユニット３は、四角柱状の回転スロット３１とこの回転スロット３１の周面を照射する一対の照明ライト３２、３２とからなる。
【００２０】
回転スロット３１は、３個の同じ四角柱のスロットドラム３１ａ、３１ｂ、３１ｃが共通の軸３１ｄにより個々に矢印Ａ方向へ回転可能に枢支されてなる。各スロットドラム３１ａ、３１ｂ、３１ｃの４方の周面には、４種類の互いに異なる立体図形Ｏ1 、Ｏ2 、Ｏ3 、Ｏ4 がそれぞれ設置されている。
【００２１】
一対の照明ライト３２、３２は、それぞれ、導光板２１縁部の斜め後方で、導光板２１と回転スロット３１との間隙を挟んで対向配設されている。各照明ライト３２は蛍光管３２ａとリフレクタ３２ｂからなり、それぞれのリフレクタ３２ｂの向きは、蛍光管３２ａから射出された光を回転スロット３１の導光板２１に対面する図１では立体図形Ｏ1 へ反射する方向に向けられている。
【００２２】
次に、上述のように構成された模擬スロットマシーン用表示装置の動作について、図２〜図４に基づき説明する。
【００２３】
遊技開始の際には、ノーマリーホワイト型の液晶表示パネル１が信号電圧が印加されていない透過状態にセットされ、バックライトユニット２の冷陰極管２２は消灯され、回転スロット３１を照射する一対の照明ライト３２、３２が点灯されている。従って、照明ライト３２から導光板２１に対面する立体図形Ｏ1 に向けて照射された光は、二点鎖線で示すように、立体図形Ｏ1 表面で反射され、導光板２１と透過状態の液晶表示パネル１を透過して遊技者Ｐにより視認される。すなわち、遊技者Ｐは、液晶表示パネル１及び導光板２１を透して、ライトアップされた立体図形Ｏ1 を明瞭に視認することができる。
【００２４】
このとき、液晶表示パネル１は、画像表示を行う有効表示エリアＡd の全エリアが透過状態になっているから、例えば図２（ａ）に示すように、３個のスロットドラム３１ａ、３１ｂ、３１ｃの導光板２１に対面する各立体図形Ｏ2 、Ｏ1 、Ｏ2 が有効表示エリアＡd 内で長手方向に連続して並んだ立体表示が視認される。
【００２５】
上述の状態下において、遊技者Ｐは、回転スロット３１の各スロットドラム３１ａ、３１ｂ、３１ｃをそれぞれ任意に回転させて停止させる。この停止させた状態で、各スロットドラム３１ａ、３１ｂ、３１ｃの導光板２１に対面する立体図形が、例えば、図２（ａ）に示すように２種類以上の立体図形Ｏ2 、Ｏ1 、Ｏ2 の配列となった場合は、落選の「はずれ」とされている。
【００２６】
これに対して、１種類の立体図形Ｏ1 が３個並んだ配列となった場合は、入賞とされ、そのうちでも、図２（ｂ）に示されるように、特定の例えば「７」の数字の立体図形Ｏ1 が３個並んだ配列が「大当り」とされている。
【００２７】
「大当り」の配列がでた場合は、駆動制御回路１６から「大当り」を表示するための表示信号が液晶表示パネル１に出力されるとともに、図３（ａ）に示されるように回転スロットユニット３の両照明ライト３２が消灯され、バックライトユニット２の冷陰極管２２が点灯される。これにより、図３（ｂ）に示すように、液晶表示パネル１の有効表示エリアＡd の全エリアにわたり、「大当り」が画像表示される。なお、この有効表示エリアＡd の全エリアにわたる画像表示状態においても、電極が対向する画素領域以外の非画素領域は光が略そのまま透過する透過状態であるが、この非画素領域が有効表示エリアＡd 内に占める割合は僅かで且つ照明ライト３２が消灯されているから、背面側の立体図形Ｏ1 等が遊技者Ｐにより視認されることはない。
【００２８】
上述の「大当り」表示は短時間で終了させ、この後、図４（ａ）に示すように、バックライトユニット２の冷陰極管２２を点灯したまま回転スロットユニット３の両照明ライト３２が点灯されると共に、駆動制御回路１６から「大当り」を祝福するための表示信号が液晶表示パネル１に出力される。これにより、図４（ｂ）に示されるように、液晶表示パネル１による画像表示と回転スロットユニット３の立体図形Ｏ1 が３個並んだ立体背景表示とからなる複合表示が、液晶表示パネル１の表示エリアＡd 内に表示される。この複合表示は、祝福メッセージが画像表示されている液晶表示画面の中央部を透過状態として特定の立体図形Ｏ1 が３個並んだ大当り配列を立体的に浮かび上がらせた極めて興趣に富む表示である。
【００２９】
以上のように、本実施形態の模擬スロットマシーン用表示装置は、回転スロットユニット３の遊技者Ｐに対面する前側に透過状態に切り換え可能な液晶表示パネル１と透明な導光板２１が配置され、遊技者Ｐが透過状態の液晶表示パネル１と導光板２１を透して回転スロットユニット３に設けられたゲーム役物としての立体図形Ｏ1 〜Ｏ4 を視認できる構成としたから、有効表示エリアＡd 全体で観察側から背面側の立体図形Ｏ1 〜Ｏ4 の配列を透視可能な透過表示状態と、有効表示エリア全体に画像信号に応じて液晶画像が表示される画像表示状態、及び有効表示エリア内に透過表示状態のエリアと画像表示状態のエリアとが混在する複合表示状態の、３種類の表示状態をゲームの進行状況に応じて適宜切り換えることができ、ゲームの興趣を顕著に盛り上げることができる。
【００３０】
なお、上記実施形態においては、液晶表示パネル１の有効表示エリアＡd 全体で３個の立体図形の配列を透過表示しているが、図１の状態、つまりバックライトユニットの冷陰極管２１を消灯して照明ライト３２を点灯した状態で、液晶表示パネル１を液晶シャッタとして駆動してもよい。すなわち、液晶表示パネル１の有効表示エリアＡd 内における３個の立体図形に対面するエリアだけを透過状態とし、他のエリアを遮光状態とする。このような構成とすれば、回転スロットを円筒状に形成し、１個のスロットドラムに５個以上の立体図形や図柄を配置することができ、それらの配列の種類を増やしてゲームとしての興趣をさらにアップさせることができる。
【００３１】
次に、本発明の他の実施形態について、図５に基づき説明する。本実施形態の表示装置は、オルゴールに搭載される表示装置である。
【００３２】
図５に示されるように、本実施形態のオルゴール用表示装置は、大略、エレクトロルミネッセンス表示パネル４と観察物としての回転ステージユニット５からなる。
【００３３】
エレクトロルミネッセンス表示パネル（以下、ＥＬ表示パネルという）４は一対のガラス基板４１、４１間に無機ＥＬ積層膜（不図示）を挟持してなる。無機ＥＬ積層膜は、例えば５酸化タンタル（Ｔａ2Ｏ5）等からなる一対の絶縁層間にマンガン（Ｍｎ）やテルビウム（Ｔｂ）等の種々の元素が添加された硫化亜鉛（ＺｎＳ）等の無機電界発光ＥＬ薄膜を介在させてなる積層膜である。一対のガラス基板４１、４２の対向面には、それぞれ、ＩＴＯ（Indium Tin Oxide）等の透明導電材料からなる複数本のストライプ電極が互いに直交する方向に配設され、これら電極が無機ＥＬ積層膜を介して対向する部分で画素を形成している。従って、本実施形態のＥＬ表示パネル４は、画素がマトリックス状に配列されたドットマトリックスタイプの画像表示パネルである。
【００３４】
一方のガラス基板４１の延出部４１ａには、フレキシブル配線基板４３を介して駆動制御回路基板４４が配線接続されている。この駆動制御回路基板４４から画像信号がフレキシブル配線基板４３を介してＥＬ表示パネル４に入力される。
【００３５】
このように構成されたＥＬ表示パネル４においては、駆動制御回路基板４４から入力される画像信号に基づき印加される信号電圧に応じて各画素のＥＬ積層膜が所望の色に発光し、エレクトロルミネッセンス光によるカラー画像が表示される。このとき、信号電圧が印加されない画素や画素間の非発光領域は、電極や基板がそれぞれ透明材料で形成されているとともにこれらに挟持されているＥＬ積層膜の膜厚が極めて薄いため、表示の観察側から背面側を透視できる透過状態である。
【００３６】
すなわち、本実施形態のＥＬ表示パネル４は、有効表示エリアＡd 全体で観察側から背面側の観察物を透視可能な透過表示状態、有効表示エリアＡd 全体に画像信号に応じたＥＬ画像が表示される画像表示状態、及び有効表示エリアＡd 内に透過表示状態のエリアとＥＬ画像が表示される画像表示状態のエリアとが混在する複合表示状態の、少なくとも３種類の表示状態を自在に切り換え可能な画像表示パネルである。
【００３７】
ＥＬ表示パネル４０の背面側には、回転ステージユニット５が配設されている。回転ステージユニット５は、回転ステージ５１と照明ライト５２からなる。
【００３８】
回転ステージ５１は、円板ステージ５１ａとこれを枢支する支柱５１ｂからなり、円板ステージ５１ａが支柱５１ｂを中心として矢印Ｂ方向に所定速度でオルゴールのメロディーに合わせて回転する構成となっている。
【００３９】
円板ステージ５１ａ上には、オルゴールのメロディーに因んだ複数個の人形５１ｃ、５１ｄが立設されており、円板ステージ５１ａとともに支柱５１ｂの周りを移動する。
【００４０】
照明ライト５２は、蛍光管５２ａとリフレクタ５２ｂからなり、ＥＬ表示パネル４に対面する位置へ移動してきた円板ステージ５１ａ上の人形５１ｃを照射する。
【００４１】
次に、上述のように構成された本実施形態のオルゴール用表示装置の動作について説明する。
【００４２】
オルゴールの蓋が明けられ、所定の曲のメロディーが流れ始めると、ＥＬ表示パネル４に画像表示信号が出力されてその曲の歌詞が表示され、これと同時に、照明ライト５２が点灯されるとともに円板ステージ５１ａが回転する。これにより、ＥＬ表示パネル４の表示エリアＡd には、ライトアップされた動く人形を背景にした歌詞画面が表示される。
【００４３】
曲の進行と共に、ＥＬ表示パネル４の表示エリアＡd は、全画素がオンされてＥＬ発光する全面ＥＬ表示状態、或いは全画素がオフされた全面透過状態に、適宜切り換えられる。なお、全面ＥＬ表示状態においては照明ライト５２が消灯されている。
【００４４】
以上のように、本実施形態のオルゴール用表示装置では、各画素を透過状態と発光状態に切り換え可能なＥＬ表示パネル４の後面側に回転ステージユニット５を配置したから、曲の進行とともに、円板ステージ５１ａ上の人形５１ｃ、５１ｄを背景とした複合ＥＬ画像表示と、全面ＥＬ画像表示、及び円板ステージ５１ａ上の人形５１ｃ、５１ｄのみの立体表示とからなる、３種類の表示を適宜切り換えて表示でき、曲の情感を一層盛り上げることができる。
【００４５】
なお、本発明は、上記の実施形態に限定されるものではない。
例えば、画像表示パネルは、ノーマリーホワイトタイプに限らず、背景の観察物を表示する場面が少ない場合はノーマリーブラックタイプであってもよい。
【００４６】
また、観察物は、立体物に限らず、壁紙等のような平面的な図柄物であってもよい。
【図面の簡単な説明】
【００４７】
【図１】本発明の一実施形態としての模擬スロットマシーン用表示装置の構成を示す構成説明図で、透過表示状態を示している。
【図２】上記表示装置における表示図形の配列例を示す説明図である。（ａ）は「はずれ」の配列例で、（ｂ）は「大当り」の配列例である。
【図３】（ａ）は上記表示装置における全面液晶表示状態を示す構成説明図で、（ｂ）はその全面液晶表示例を示す説明図である。
【図４】（ａ）は上記表示装置における液晶表示と透過表示が組み合わされた複合表示状態を示す構成説明図で、（ｂ）はその複合表示例を示す説明図である。
【図５】本発明の他の実施形態としてのオルゴール用表示装置の構成を示す構成説明図である。
【符号の説明】
【００４８】
１                        液晶表示パネル
２                        バックライトユニット
３                        回転スロットユニット
４                        ＥＬ表示パネル
５                        回転ステージユニット
１１、１２、４１、４２    ガラス基板
１６、４３                駆動制御回路基板
２１                      導光板
２２                      冷陰極管
３１                      回転スロット
３１ａ、３１ｂ、３１ｃ    スロットドラム
３２、５２                照明ライト
５１                      回転ステージ
５１ａ                    円板ステージ
５１ｃ、５１ｄ            人形
【図１】
2005338426.tif 000003
【図２】
2005338426.tif 000004
【図３】
2005338426.tif 000005
【図４】
2005338426.tif 000006
【図５】
2005338426.tif 000007